【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
複数のモージュル間において１以上の搬送体に対する経路を提供するべく構成された軌道と、
少なくとも１つの上部コンベヤシステムと、
少なくとも１つの下部コンベヤシステムと、
を備え、
前記上部コンベヤシステムは、
第１軸を中心に回転するよう構成された第１上部プーリと、
該第１上部プーリから横方向へ離してあって第２軸を中心に回転するよう構成された第２上部プーリと、
前記軌道に隣接して位置し且つ前記第１上部プーリに巻回されると共に前記第２上部プーリに巻回されるよう構成された上部ベルトと、
前記上部ベルトに隣接した前記軌道に沿って前記１以上の搬送体を移動させるために、前記上部ベルトに取り付けられ、それぞれが前記１以上の搬送体を引きつけるべく配置された、複数の上部磁石と、を備え、
前記下部コンベヤシステムは、
前記第１上部プーリの下に縦方向へ離してあって前記第１軸を中心に回転するよう構成された第１下部プーリと、
該第１下部プーリから横方向へ離してあって第３軸を中心に回転するよう構成された第２下部プーリと、
前記上部ベルトよりも下方へ縦方向に離してあって前記軌道に隣接して位置し且つ前記第１下部プーリに巻回されると共に前記第２下部プーリに巻回されるよう構成された下部ベルトと、
前記下部ベルトに隣接した前記軌道に沿って前記１以上の搬送体を移動させるために、前記下部ベルトに取り付けられ、それぞれが前記１以上の搬送体を引きつけるべく配置された、複数の下部磁石と、を備える、
試料管搬送システム。
【請求項２】
前記複数の上部磁石は、前記上部ベルトに隣接した前記軌道に沿って前記１以上の搬送体を移動させるために、当該１以上の搬送体の磁性材料上部を、対応する前記上部磁石が引きつけるように、配置され、
前記複数の下部磁石は、前記下部ベルトに隣接した前記軌道に沿って前記１以上の搬送体を移動させるために、当該１以上の搬送体の磁性材料下部を、対応する前記下部磁石が引きつけるように、配置される、
請求項１に記載の試料管搬送システム。
【請求項３】
前記磁性材料上部は、前記磁性材料下部から縦方向に間隔をあけて設けられている、請求項２に記載の試料管搬送システム。
【請求項４】
前記第１軸及び第２軸は、当該第１軸と第２軸との間に延びる上部コンベヤシステム軸線を形成するように配置され、
前記第１軸及び第３軸は、当該第１軸と第３軸との間に延びる下部コンベヤシステム軸線を形成するように配置され、
前記上部コンベヤシステム軸線は、０度より大きく１８０度より小さい角度で前記下部コンベヤシステム軸線から延伸する、
請求項１に記載の試料管搬送システム。
【請求項５】
前記第１軸及び第２軸は、当該第１軸と第２軸との間に延びる上部コンベヤシステム軸線を形成するように配置され、
前記第１軸及び第３軸は、当該第１軸と第３軸との間に延びる下部コンベヤシステム軸線を形成するように配置され、
前記上部コンベヤシステム軸線は、９０度の角度で前記下部コンベヤシステム軸線から延伸する、
請求項１に記載の試料管搬送システム。
【請求項６】
前記第１軸及び第２軸は、当該第１軸と第２軸との間に延びる上部コンベヤシステム軸線を形成するように配置され、
前記第１軸及び第３軸は、当該第１軸と第３軸との間に延びる下部コンベヤシステム軸線を形成するように配置され、
前記上部コンベヤシステム軸線と前記下部コンベヤシステム軸線とが一直線上にある、
請求項１に記載の試料管搬送システム。
【請求項７】
前記第１上部プーリと前記第１下部プーリとに接続されていて前記第１軸を中心に回転するよう構成されたシャフトをさらに含む、請求項１に記載の試料管搬送システム。
【請求項８】
前記シャフトは、作動装置と連結された駆動シャフトであり、前記第１軸を中心として前記第１上部プーリを回転させ且つ前記第１軸を中心として前記第１下部プーリを回転させるように構成される、請求項７に記載の試料管搬送システム。
【請求項９】
１以上の試料に処理を施す複数のモジュールと、
該複数のモジュールの間に、１以上の試料搬送体のための少なくとも１つの経路を提供するように構成された軌道と、
少なくとも１つの上部コンベヤシステム及び少なくとも１つの下部コンベヤシステムを備えた複数のコンベヤシステムと、
前記少なくとも１つの上部コンベヤシステム及び前記少なくとも１つの下部コンベヤシステムの間に連結されるように構成され、上部プーリ及び下部プーリを有する、１以上のプーリアセンブリと、
を備え、
前記複数のコンベヤシステムは、前記各上部コンベヤシステムと隣接する前記各下部コンベヤシステムとが交互になっており、
前記少なくとも１つの上部コンベヤシステムは、
前記軌道に隣接して配置され且つ前記プーリアセンブリの対応する上部プーリに巻回されるように構成された上部ベルトと、
前記１以上の搬送体を前記軌道に沿って移動させるために、前記上部ベルトに取り付けられて前記１以上の搬送体を引きつけるように配置された、複数の上部磁石と、を備え、
前記少なくとも１つの隣接下部コンベヤシステムは、
前記軌道に隣接して配置され且つ前記プーリアセンブリの対応する下部プーリに巻回されるように構成された下部ベルトと、
前記１以上の搬送体を前記軌道に沿って移動させるために、前記下部ベルトに取り付けられて前記１以上の搬送体を引きつけるように配置された、複数の下部磁石と、を備える、
モジュール式試料管搬送システム。
【請求項１０】
前記複数の上部磁石は、前記上部ベルトに隣接した前記軌道に沿って前記１以上の搬送体を移動させるために、当該１以上の搬送体の磁性材料上部を、対応する前記上部磁石が引きつけるように、配置され、
前記複数の下部磁石は、前記下部ベルトに隣接した前記軌道に沿って前記１以上の搬送体を移動させるために、当該１以上の搬送体の磁性材料下部を、対応する前記下部磁石が引きつけるように、配置される、
請求項９に記載のモジュール式試料管搬送システム。
【請求項１１】
前記上部コンベヤシステムが、隣接する前記下部コンベヤシステムに対し一直線上にない、請求項９に記載のモジュール式試料管搬送システム。
【請求項１２】
前記上部コンベヤシステムが、隣接する前記下部コンベヤシステムと直交する、請求項１１に記載のモジュール式試料管搬送システム。
【請求項１３】
前記上部コンベヤシステムが、隣接する前記下部コンベヤシステムに対し一直線上にある、請求項９に記載のモジュール式試料管搬送システム。
【請求項１４】
前記１以上のプーリアセンブリは、前記上部プーリと前記下部プーリとの間を連結する共通シャフトを含む、請求項９に記載のモジュール式試料管搬送システム。
【請求項１５】
前記共通シャフトは、作動装置に接続されて前記上部プーリ及び前記下部プーリを回転させるように構成された駆動シャフトである、請求項１４に記載のモジュール式試料管搬送システム。
【請求項１６】
前記軌道は、底部と、互いに離れて前記底部から縦方向に延伸する対向側壁と、を含み、
前記上部磁石及び下部磁石の少なくとも一方は、前記対向側壁の少なくとも一方の部分と併走し、前記軌道に沿って前記１以上の搬送体を移動させる、請求項９に記載のモジュール式試料管搬送システム。
【請求項１７】
少なくとも１つの経路転換ゲートをさらに備え、
前記複数のモジュールが第１モジュール及び第２モジュールを備えており、
前記経路に第１経路と第２経路とが含まれ、該第２経路が、前記第１モージュルと前記第２モジュールとの間に延伸しており、
前記少なくとも１つの経路転換ゲートは、前記第１経路と前記第２経路との交差点近くに配置され、前記１以上の試料搬送体を、前記第１経路に沿って移動させるか又は前記第２経路に沿って移動させるように、構成される、
請求項１６に記載のモジュール式試料管搬送システム。
【請求項１８】
複数の上部磁石を取り付けた上部ベルトを、第１軸を中心に第１上部プーリを回転させ且つ第２軸を中心に第２上部プーリを回転させることにより、前記第１上部プーリを巡らせると共に前記第２上部プーリを巡らせて回し、
前記複数の上部磁石を取り付けた上部ベルトに隣接した軌道に沿って１以上の搬送体を移動させ、
複数の下部磁石を取り付けた下部ベルトを、前記第１軸を中心に第１下部プーリを回転させ且つ第３軸を中心に第２下部プーリを回転させることにより、前記第１下部プーリを巡らせると共に前記第２下部プーリを巡らせて回し、
前記複数の下部磁石を取り付けた下部ベルトに隣接した前記軌道に沿って前記１以上の搬送体を移動させる、
ことを含む、試料管を搬送する方法。
【請求項１９】
前記複数の上部磁石を取り付けた上部ベルトに隣接した前記軌道に沿って前記１以上の搬送体を移動させるときに、対応する前記搬送体の磁性材料上部を前記各上部磁石に引きつけることを含み、
前記複数の下部磁石を取り付けた下部ベルトに隣接した前記軌道に沿って前記１以上の搬送体を移動させるときに、対応する前記搬送体の磁性材料下部を前記各下部磁石に引きつけることを含む、
請求項１８に記載の方法。
【請求項２０】
前記複数の上部磁石を取り付けた上部ベルトに隣接した前記軌道に沿って第１の方向に前記１以上の搬送体を移動させ、
前記複数の下部磁石を取り付けた下部ベルトに隣接した前記軌道に沿って前記第１の方向と交差する第２の方向に１前記以上の搬送体を移動させることを含む、
請求項１９に記載の方法。
【手続補正２】
【補正対象書類名】明細書
【補正対象項目名】００２０
【補正方法】変更
【補正の内容】
【００２０】
本発明の具体的態様は、試料管を搬送する方法にも向けられている。当該方法は、複数の上部磁石を取り付けた上部ベルトを、第１軸を中心に第１上部プーリを回転させ且つ第２軸を中心に第２上部プーリを回転させることにより、第１上部プーリを巡らせると共に第２上部プーリを巡らせて回すことを含む。この方法は、さらに、複数の上部磁石を備えた上部ベルトに隣接した軌道に沿って１以上の搬送体を移動させ、複数の下部磁石を取り付けた下部ベルトを、前記第１軸を中心に第１下部プーリを回転させ且つ第３軸を中心に第２下部プーリを回転させることにより、第１下部プーリを巡らせると共に第２下部プーリを巡らせて回すことを含む。この方法は、さらに、複数の下部磁石を備えた下部ベルトに隣接した軌道に沿って１以上の搬送体を移動させることを含む。